(57)【特許請求の範囲】
【請求項１】
書籍の表紙上に、表紙フィルムを形成する工程（ａ）と、
前記表紙フィルム上にＩＣタグを保持する工程（ｂ）と、
前記ＩＣタグを保持した前記表紙フィルム上に、前記ＩＣタグを覆うように表紙フィルムを形成する工程（ｃ）と、
を具備することを特徴とする書籍の製造方法。
【請求項２】
前記工程（ａ）及び前記工程（ｃ）は、フィルム材料の塗布、フィルムシートの貼着、またはヒートシールフィルムのヒートシールによることを特徴とする請求項１記載の書籍の製造方法。
【請求項３】
前記工程（ｂ）は、前記表紙フィルム上への前記ＩＣタグの貼着またはヒートシールによることを特徴とする請求項１または請求項２記載の書籍の製造方法。
【発明の詳細な説明】
【技術分野】
【０００１】
本発明は、非接触情報通信を行うＩＣ（Ｉｎｔｅｇｒａｔｅｄ Ｃｉｒｃｕｉｔ）タグ付書籍に係り、特に、古紙リサイクルにおいて阻害性がない書籍及びその製造方法に関する。
【背景技術】
【０００２】
近年、バーコードに代えて非接触で情報の読み出し及び書き込みが可能なＩＣタグを商品に付して、市場で必要な様々な情報の管理を可能にすることが提案されている。
書籍・雑誌においても、ＩＣタグを表紙、背表紙あるいは裏表紙の内面側等に取り付けて万引き防止機能を付与するだけではなく、流通や在庫、販売時点においても必要となる様々な情報管理をすることが考えられている（例えば、特許文献１）。
【０００３】
【特許文献１】特開２００４−２４９４９２号公報
【発明の開示】
【発明が解決しようとする課題】
【０００４】
しかしながら、上記に示す方法では、古紙リサイクル工程においてＩＣタグを除去することができない。ＩＣタグのアンテナパターンはアルミを素材としており、大きさは１０〜２０μｍであるため、５０〜１００μｍのスクリーニングにより不純物を除去する除塵設備ではアンテナパターンは通過してしまい、また、泡とともに浮いている不純物を取り去るフローテーターの脱墨設備では、アンテナパターンが浮いてこないため除去することができず残ってしまい、古紙リサイクルにおいて阻害性を有する。
【０００５】
本発明は、以上の点に鑑みてなされたものでその目的とするところは、古紙リサイクルにおいて阻害性がないＩＣタグ付の書籍等を提供することにある。
【課題を解決するための手段】
【０００８】
前述した目的を達成するために第１の発明は、書籍の表紙上に、表紙フィルムを形成する工程（ａ）と、前記表紙フィルム上にＩＣタグを保持する工程（ｂ）と、前記ＩＣタグを保持した前記表紙フィルム上に、前記ＩＣタグを覆うように表紙フィルムを形成する工程（ｃ）と、を具備することを特徴とする書籍の製造方法である。
【発明の効果】
【００１１】
本発明によれば、古紙リサイクルにおいて阻害性がないＩＣタグ付の書籍等を提供することができる。
【発明を実施するための最良の形態】
【００１２】
以下に、添付図面を参照しながら、本発明に係るＩＣタグ付の書籍の好適な実施形態について詳細に説明する。尚、以下の説明および添付図面において、略同一の機能構成を有する構成要素については、同一の符号を付することにより重複説明を省略することにする。
【００１３】
図１、２、３は、本発明の実施の形態に係る書籍１の一例を示す図である。
書籍１は、書籍１に関する情報を記憶し、所定周波数の電波により外部リーダライタと交信するＩＣタグ１０を保持する。
ＩＣタグ１０は、書籍１の表紙４上を覆う表紙フィルム５内に形成される。
表紙フィルム５に覆われた表紙４は、接着剤３により丁合本２に貼着される。
図１では、ＩＣタグ１０は背表紙部分に形成されているが、図２に示すように表紙部分に形成したり、図３に示すように裏表紙部分に形成したり、あるいは、表紙と背表紙、表紙と背表紙と裏表紙、背表紙と裏表紙のいずれかの部分に形成するようにしてもよい。
ＩＣタグ１０は、表紙フィルム５内ではなく、表紙４と表紙フィルム５の間に形成するようにしてもよい。
【００１４】
接着剤３は、難細裂化ホットメルト接着剤等で、古紙リサイクル工程において細裂化しにくく塊となって分離されるため、スクリーン等の除塵設備で除去することができる。
表紙フィルム５は、無色透明な樹脂からなる。古紙リサイクルにおいて、表紙フィルム５は禁忌品で、古紙リサイクル工程に入る前に手作業により書籍１から取り外される。
【００１５】
次に、書籍１に添付されるＩＣタグ１０について説明する。
図４は、ＩＣタグ１０の構成を示す平面図、図５は、ＩＣタグ１０の構成を示す断面図である。
【００１６】
図４、５に示すように、ＩＣタグ１０は、ベースフィルム１１、アンテナパターン１２、ＩＣチップ１３を備える。
ＩＣタグ１０は、ベースフィルム１１の上にアンテナパターン１２を配設し、アンテナパターン１２に電気的に接続したＩＣチップ１３とからＩＣタグ１０のインレットシート２０を形成する。
【００１７】
インレットシート２０の基材であるベースフィルム１１としては、ＰＥＴ（ポリエチレンテレフタレート）、ＰＥＴ−Ｇ（テレフタル酸−シクロヘキサンジメタノール−エチレングリコール共重合体）、ＰＰ（ポリプロピレン）、ＰＥ（ポリエチレン）、ＰＣ（ポリカーボネート）、ＰＡ（ポリアミド）、ＰＰＳ（ポリフェニレンサルフイド）、ポリ塩化ビニル、塩化ビニル−酢酸ビニル共重合体、セルロースジアセテート、セルローストリアセテート、ポリスチレン、ＡＢＳ、ポリアクリル酸エステル、ポリウレタン等の素材が使用される。
【００１８】
アンテナパターン１２は、アルミ箔（厚さ１０〜５０μｍ）をエッチングして形成する。アンテナサイズは、例えば７６ｍｍ×４５ｍｍである。アンテナパターン１２は、導電性インキによるプリント配線でもよく、また、銅箔や金属捲線を使用するものでもよい。
通信周波数は１３．５６ＭＨｚ（ＩＳＯ１５６９３準拠）、あるいは、ＵＨＦ帯域である８６０〜９６０ＭＨｚ（ＩＳＯ／ＩＥＣ１８０００−６準拠）を使用する。
【００１９】
次に、図６を参照しながら、書籍１の製造方法について説明する。
図６は、書籍１の製造方法を示すフローチャートである。
【００２０】
図５に示すように、ベースフィルム１１の上に、アンテナパターン１２を配設し、アンテナパターン１２に電気的に接続したＩＣチップ１３とからＩＣタグ１０のインレット２０を形成する（ステップＳ４０１）。
【００２１】
書籍１の表紙４上に、表紙フィルム５を形成し（ステップＳ４０２）、その上にＩＣタグ１０を保持する（ステップＳ４０３）。更に、その上に表紙フィルム５を形成し（ステップＳ４０４）、表紙フィルム５の層内にＩＣタグ１０を形成する。
表紙の製造においては、ステップＳ４０２の工程を省略し、表紙４上に直接ＩＣタグ１０を保持し、その上に表紙フィルム５を形成してもよい。
その後、表紙フィルム５に覆われた表紙４を、接着剤３により丁合本２に貼着する（ステップＳ４０５）。
【００２２】
表紙フィルム５の形成（ステップＳ４０２，Ｓ４０４）方法としては、表紙４へのフィルム材料の塗布、フィルムシートの貼着、ヒートシールが挙げられる。
【００２３】
書籍１の表紙４へのフィルム材料の塗布は、表紙４へ表紙フィルム５となる表面基材を塗ることにより形成される。表紙フィルム５としては、ポリプロピレンや塩化ビニル‐酢酸ビニル共重合体などからなる
【００２４】
書籍１の表紙４へのフィルムシートの貼着は、表紙４へ、表紙フィルム５と粘着剤が積層したフィルムシートを貼着することにより行われる。表紙フィルム５としては、ポリエチレンテレフタレートやポリエチレンナフタレートといったポリエステル、ポリエチレンやポリプロピレンといったポリオレフィン、ポリ塩化ビニルなどからなる。また、粘着剤としては、ポリアクリル酸エステル、ニトリルゴム、天然ゴム、シリコーン粘着剤、ポリ塩化ビニルなどの各種材料およびそれらの水性エマルジョンを使用する。
【００２５】
書籍１の表紙４へのヒートシールは、表紙４へ、表紙フィルム５とヒートシール剤が積層したヒートシールフィルムを重ねて加熱することにより行われる。表紙フィルム５としては、ポリエチレンテレフタレートやポリエチレンナフタレートといったポリエステル、ポリエチレンやポリプロピレンといったポリオレフィン、ポリ塩化ビニルなどからなる。また、ヒートシール剤としては、ポリ塩化ビニル、ポリ酢酸ビニル、塩化ビニル‐酢酸ビニル共重合体、エチレン−酢酸ビニル共重合体、ポリアクリル酸エステル、ニトリルゴム、天然ゴム、ポリウレタンなどを使用する。
【００２６】
また、ＩＣタグ１０の保持（ステップＳ４０３）方法としては、表紙フィルム５へのＩＣタグ１０の貼着やヒートシールが挙げられる。
【００２７】
表紙フィルム５へのＩＣタグ１０の貼着は、ベースフィルム１１に粘着剤層が形成されたＩＣタグ１０を表紙フィルム５に貼着することにより行われる。粘着剤層に用いる粘着剤としては、ポリアクリル酸エステル、ニトリルゴム、天然ゴム、シリコーン粘着剤、ポリ塩化ビニルなどの各種材料およびそれらの水性エマルジョンを使用する。
【００２８】
表紙フィルム５へのＩＣタグ１０のヒートシールは、ベースフィルム１１にヒートシール剤層が形成されたＩＣタグ１０を表紙フィルム５に粘着することにより行われる。ヒートシール剤層に用いられるヒートシール剤としては、ポリ塩化ビニル、ポリ酢酸ビニル、塩化ビニル‐酢酸ビニル共重合体、エチレン−酢酸ビニル共重合体、ポリアクリル酸エステル、ニトリルゴム、天然ゴム、ポリウレタンなどを使用する。
【００２９】
古紙リサイクルにおいて、手作業により禁忌品となる表紙フィルム５を取り外すと、表紙フィルム５内に形成されているＩＣタグ１０は表紙４上に残ってしまうことなく、表紙フィルム５と共に除去され、古紙リサイクル工程にＩＣタグ１０が入る可能性がなくなる。
【００３０】
尚、本実施の形態では、表紙４上にＩＣタグ１０が見えてしまい、書籍１の外観として好ましくない場合、ＩＣタグ１０のインレット２０の上面に紙基材等を形成するようにしてもよい。紙基材としては、上質紙、コート紙、クラフト紙、グラシン紙、合成紙、ラテックスやメラミン含浸紙等が使用できる。
【００３１】
以上説明したように、本発明の実施の形態によれば、古紙リサイクルにおいて阻害性がないＩＣタグ付の書籍等を提供できる。
【００３２】
以上、添付図面を参照しながら、本発明に係るＩＣタグ付の書籍の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００３３】
【図１】本発明の実施の形態に係る書籍１の一例を示す図
【図２】本発明の実施の形態に係る書籍１の一例を示す図
【図３】本発明の実施の形態に係る書籍１の一例を示す図
【図４】ＩＣタグ１０の構成を示す平面図
【図５】ＩＣタグ１０の構成を示す断面図
【図６】書籍１の製造方法を示すフローチャート
【符号の説明】
【００３４】
１………書籍
２………丁合本
３………接着剤
４………表紙
５………表紙フィルム
１０………ＩＣタグ
１１………ベースフィルム
１２………アンテナパターン
１３………ＩＣチップ
２０………インレットシート
【図１】
0005343395.tif 000002
【図２】
0005343395.tif 000003
【図３】
0005343395.tif 000004
【図４】
0005343395.tif 000005
【図５】
0005343395.tif 000006
【図６】
0005343395.tif 000007